(57)【要約】      （修正有）【課題】運転位置からロータリの耕耘深さ調節輪の高低位置を調節することが可能となる装置を提供する。【解決手段】駆動車輪２前側のロータリ３の前側に耕耘深さを調節する調節輪５を有し、機体１後方の運転ハンドル１９を持って作業する耕耘機において、機体１から前方に突設した支持部材４のロータリ３よりも前側となる部位に筒状のロッド支持体７を縦に固設し、ロッド支持体７内の上部には回転連結体を挿着し且つ下部には下端部に調節輪５を備えた調節輪支持ロッド６を挿着すると共に回転連結体と調節輪支持ロッド６の間に回転連結体の回転で調節輪支持ロッドを上下に進退可能とした昇降機構を備え、運転ハンドル１９に操作ワイヤー９外側のアウターワイヤーの基端部を固定し、操作ワイヤー内側のインナーワイヤーの基端部を回転可能な操作ハンドル１６に連結すると共にインナーワイヤーの末端部を回転連結体に連結する。【選択図】図１
0003195621.tif 000002
【実用新案登録請求の範囲】
【請求項１】
駆動車輪の前側にロータリを備え、該ロータリの前側に上下移動によって耕耘深さを調節する調節輪を有し、機体後方の運転ハンドルを持って作業する耕耘機において、
前記機体から前方に突設した支持部材のロータリよりも前側となる部位に筒状のロッド支持体を縦に固設し、該ロッド支持体内の上部には回転連結体を挿着し且つ下部には下端部に調節輪を備えた調節輪支持ロッドを挿着すると共に前記回転連結体と調節輪支持ロッドの間に前記回転連結体の回転で前記調節輪支持ロッドを前記調節輪の高低調節範囲内で上下に進退可能とした昇降機構を備え、
運転ハンドルにフレキシブルな操作ワイヤー外側のアウターワイヤーの基端部を固定し、操作ワイヤー内側のインナーワイヤーの基端部を回転可能な操作ハンドルに連結すると共に該インナーワイヤーの末端部を前記回転連結体に連結して成り、
前記操作ワイヤーを介して運転位置での前記操作ハンドルの回転で前記調節輪の高低位置を調節可能としたことを特徴とする耕耘深さ調節輪の高低調節装置。
【請求項２】
昇降機構が、該ロッド支持体内の下部には、下端部に調節輪を軸受けした調節輪支持ロッドの上部を回転不能且つ上下移動可能に装着し、前記ロッド支持筒体内の上部には、上部に連結部を備えた回転連結体の下部を回転可能且つ上下移動不能に装着し、前記調節輪支持ロッドの上部と前記回転連結体の下部とを前記回転連結体の回転により前記調節輪の高低調節範囲を進退可能に螺合する螺合部を形成して成ることを特徴とする請求項１に記載の耕耘深さ調節輪の高低調節装置。
【請求項３】
操作ワイヤーのインナーワイヤーが逆向き二重螺旋構造を有する鋼線であることを特徴とする請求項１又は２に記載の耕耘深さ調節輪の高低調節装置。
【請求項４】
インナーワイヤーの末端部にはワイヤー連結ピン孔を設け、回転連結体には連結ピン孔を設け、両ピン孔にワイヤー連結ピンを差し込むことによって操作ワイヤーと回転連結体着とを着脱可能としたことを特徴とする請求項１から３のうちのいずれかに記載の耕耘深さ調節輪の高低調節装置。
【考案の詳細な説明】
【技術分野】
【０００１】
本考案は耕耘機で農地を耕耘する際のロータリによる耕耘深さを調節するために設けられている調節輪の高低位置を調節するための装置に関する。
【背景技術】
【０００２】
通常、ロータリで耕耘する耕耘機には、ロータリの耕耘深さを調節するために、ロータリの前又は後にロータリに対する高低位置を調節するための調節輪（尾輪とも呼ばれる）が設けられている。
該調節輪は、例えば、図２中に示すように、ロータリを跨ぐ調節輪支持部に縦方向に支持筒体ｃを固設し、該支持筒体ｃで下部に調節輪を備えた調節輪支持ロッドａを上下スライド可能に支持し、該支持筒体ｃ上部に設けた操作ハンドルｂの回転で昇降可能となるように機体に装着されている。
【０００３】
しかし、従来使用されている耕耘機には、駆動車輪の前側にロータリが設けられ、該駆動車輪の後側で運転するタイプが多く、このような耕耘機では、前記調節輪はロータリの前方に設けられており、耕耘機の運転者からは上記操作ハンドルまで手が届かない。
このため、ロータリの耕耘深さを調節しようとすると、運転者は一旦耕耘機を止めて耕耘機の前側に回り込んで操作ハンドルを回転させなければならず、大変面倒である。
特に長葱の栽培では土に隠れて白色となる部分が好んで食されるため、より長い白色部分を得るため、生産農地では畝間の土で葱を植えた畝上に高く盛り上げ作業を行うため畝間は深く且つ狭くなり、畝間の側方には人が入り込む余裕が殆どない。従って、前記調節輪の高低位置の調節は、次の畝への移動時に耕耘機が畝から出る機会に行ったり、隣の畝間に入って畝を跨いで行ったり、又、運転者とは別の人に畝間の前方から行ってもらう等、大変時間と手間を要している。
【０００４】
一方、駆動車輪の後側にロータリが設けられた耕耘機については下記特許文献１にロータリの後方に設けた後部カバーをワイヤーで操作して耕深の調整を行う技術が提案されており、この技術ではワイヤーをレバーで操作することで後部カバーを上下させ、ロータリの耕耘深さを調節することが可能となる。
【先行技術文献】
【特許文献】
【０００５】
【特許文献１】特開平０７−１１１８０６
【考案の概要】
【考案が解決しようとする課題】
【０００６】
しかしながら、上記特許文献１の技術は、ロータリ後方の後部カバーをワイヤーで単に押し引きすることで調節するものでしかなく、ロータリの前側において調節輪の高低位置を調節する耕耘機にはそのまま使用することができない。
【０００７】
本考案は上記実情に鑑みてなされたもので、駆動車輪前方のロータリの前側に調節輪が設けられ、駆動車輪の後側で運転するタイプの歩行型の耕耘機において、ロータリの耕耘深さを運転者が運転位置で容易に調節することが可能となる耕耘深さ調節輪の高低調節装置を提供することを目的とする。
【課題を解決するための手段】
【０００８】
上記目的を達成するため、本考案の耕耘深さ調節輪の高低調節装置は、駆動車輪の前側にロータリを備え、該ロータリの前側に上下移動によって耕耘深さを調節する調節輪を有し、機体後方の運転ハンドルを持って作業する耕耘機におけるものである。
そして、該耕耘機において、前記機体から前方に突設した支持部材のロータリよりも前側となる部位に筒状のロッド支持体を縦に固設し、該ロッド支持体内の上部には回転連結体を挿着し且つ下部には下端部に調節輪を備えた調節輪支持ロッドを挿着すると共に前記回転連結体と調節輪支持ロッドの間に前記回転連結体の回転で前記調節輪支持ロッドを前記調節輪の高低調節範囲内で上下に進退可能とした昇降機構を備え、運転ハンドルにフレキシブルな操作ワイヤー外側のアウターワイヤーの基端部を固定し、操作ワイヤー内側のインナーワイヤーの基端部を回転可能な操作ハンドルに連結すると共に該インナーワイヤーの末端部を前記回転連結体に連結して成る。
そして、前記操作ワイヤーを介して運転位置での前記操作ハンドルの回転で前記調節輪の高低位置を調節可能としたことを特徴とする。
【０００９】
請求項２の考案においては、上記考案において、前記昇降機構が、該ロッド支持体内の下部には、下端部に調節輪を軸受けした調節輪支持ロッドの上部を回転不能且つ上下移動可能に装着し、前記ロッド支持筒体内の上部には、上部に連結部を備えた回転連結体の下部を回転可能且つ上下移動不能に装着し、前記調節輪支持ロッドの上部と前記回転連結体の下部とを前記回転連結体の回転により前記調節輪の高低調節範囲を進退可能に螺合する螺合部を形成して成ることを特徴とする。
【００１０】
請求項３の考案においては、上記考案において、前記操作ワイヤーのインナーワイヤーが逆向き二重螺旋構造を有する鋼線であることを特徴とする。
【００１１】
請求項４の考案においては、上記考案において、前記インナーワイヤーの末端部にはワイヤー連結ピン孔を設け、回転連結体には連結ピン孔を設け、両ピン孔にワイヤー連結ピンを差し込むことによって操作ワイヤーと回転連結体着とを着脱可能としたことを特徴とする。
【考案の効果】
【００１２】
本考案は、運転ハンドル側の運転位置において、耕耘機の機体前方に設けた調節輪を手元の操作ハンドルを回転させることで前記操作ワイヤー及び昇降機構を介して前記調節輪の高低位置が調節され、自由にロータリの耕耘深さを調節することが可能となる。
このため、従来の装置では、調節輪によるロータリの耕耘深さの調節は、運転者からは操作ハンドルに手が届かなかったため、耕耘機の前側に移動して行うか、別の人が耕耘機の前側に行って２人で行うかであったが、本考案によって運転者が単独で運転ハンドルを持ったまま手元で操作ハンドルを回転させて、容易にロータリの耕耘深さの調節を行うことが可能となる。
この結果、耕耘機の耕耘作業が進行中であっても随時農地の的確な耕耘深さに対応したロータリの深さで耕耘することが可能となり、又その作業が単独で容易に行えることで耕耘作業の能率の大幅な向上が可能となる。
【００１３】
請求項２の考案は、前記昇降機構によって、前記操作ワイヤー内のインナーワイヤーに連結された回転連結体の回転で、前記調節輪支持ロッドが確実に上下に移動可能となる。この結果、前記調節輪支持ロッドに設けた調節輪のロータリに対する高低位置が自由に調節可能となる。
【００１４】
請求項３の考案は、前記操作ワイヤー内のインナーワイヤーを、２本の鋼線の逆向き螺旋構造としたことで、回転方向が正逆回転のいずれであっても操作ワイヤーの基端部から末端部まで左右とも確実に回転の伝達をさせることができる。
そして、ロッド支持筒体内の昇降機構を介して前記調節輪支持ロッドを上下に移動させて運転位置での前記操作ハンドルの回転で前記調節輪の高低位置を確実に調節することが可能となる。
【００１５】
請求項４の考案は、前記インナーワイヤーの末端部を連結ピンによって回転連結体に容易に着脱可能となる。
このため、調節輪のロッドを支持する筒体内に回転による昇降機構を備えると共に上部の操作ハンドルを該昇降機構上部の回転部材にピン止め式とした従来の装置に対して、該連結ピンを抜いて操作ハンドルを回転部材から外せば、本考案の前記インナーワイヤーの末端部を該回転部材に連結ピンで容易に連結することが可能となり、該従来の装置の一部を再利用することが可能となる。
【図面の簡単な説明】
【００１６】
【図１】本考案の使用状態を示す側面図である。
【図２】従来の装置の使用状態を示す側面図である。
【図３】調節輪及び調節輪支持ロッド部分の要部を示す斜視図である。
【図４】昇降機構を示す縦断側面図である。
【図５】調節輪側の操作ワイヤー連結部分の要部を示す縦断側面図である。
【図６】運転ハンドル側の操作ワイヤー連結部分の要部を示す縦断側面図である。
【考案を実施するための形態】
【００１７】
本考案の耕耘深さ調節輪の高低調節装置の実施形態を、以下図を参照して説明する。
本考案で対象となる耕耘機は、図１に示すように、駆動車輪２の前側に設けたロータリ３で耕耘し、機体１の後側上部に向けて突設した運転ハンドル１９を持って耕耘作業を行う歩行型の耕耘機である。
【００１８】
該耕耘機にはロータリ３の耕耘深さを調節するために、該ロータリ３の前側に調節輪５が設けられ、前記駆動車輪２と調節輪５との間に挟まれたロータリ３は、前記駆動車輪２の下端とロータリ３の下端とを結ぶ直線より調節輪５を高くすることでロータリ３の爪が農地を抉り、その直線より低くすることロータリ３は土から離れて空回りする。
即ち、調節輪５のロータリ３に対する高低位置を調節することで、ロータリ３の耕耘深さが調節される。
本考案はこのように調節輪５のロータリ３に対する高低位置を調節するための装置である。
【００１９】
該調節輪５は、図１に示すように、前記機体１から前方に突出させた支持部材４に固設した筒状のロッド支持体７に支持され、図５に示すように、該ロッド支持体７の下部から出没可能に突出させた調節輪支持ロッド６の下部にフリー回転可能に軸受けされる。
なお、図５中の符号５ａは調節輪５のフリー回転可能とする車輪軸５ａである。
【００２０】
前記ロッド支持体７には、図４に示すように、上部に横向きに貫通する連結ピン孔２４を有する連結部２１と下部に雄ネジ部２２とを備えた回転連結体８が、該ロッド支持体７から前記連結部２１が突出した状態で、該ロッド支持体７上端部に設けた軸支孔７ａに回転可能且つ上下移動不能に支持され、前記ロッド支持体７内の雄ネジ部２２が該ロッド支持体７下端部から差し込まれた調節輪支持ロッド６がその上端部６ａに形成した雌ネジ部２３に螺合して回転不能且つ上下移動可能に支持されて装着される。
前記雄ネジ部２２と雌ネジ部２３から成る螺合部３２は、図４及び図５では、前記雄ネジ部２２が長く、雌ネジ部２３は調節輪支持ロッド６の上端部６ａと一体に短く形成された昇降機構３３の態様を示す。
【００２１】
上記昇降機構３３による該調節輪５の高低位置の調節は、前記ロッド支持体７の上端部から突出した連結部２１を有する回転連結体８を回転させ、前記螺合部３２を介して前記ロッド支持体７に上下移動可能且つ回転不能に支持された前記調節輪支持ロッド６を前記ロッド支持体７の下端部から上下に出没させて行う。
【００２２】
なお、ロータリ３の回転爪で掻き上げられた土が周囲に飛散しないように、該ロータリ３の上方をロータリカバー２９で覆うが、このロータリカバー２９を固定するために機体１の前部から突設したカバー支持部が設けられる。該カバー支持部は、図１に示すように、前記支持部材４で兼用が可能である。
【００２３】
一方、運転ハンドル１９には、図１示すように、運転者から手が届く位置に板状の取付け部１５を設ける。
該取付け部１５は運転ハンドル１９に直接設けても良いが、手が届く位置にあれば、図６に示すように、ハンドルの補助横棒２０に設けても良い。
【００２４】
前記取付け部１５には、図６示すように、貫通孔１５ａを設け、該孔１５ａにフレキシブルな操作ワイヤー９のアウターワイヤー１１の基端部１１ａを固定したアシスト１２部分を貫通させて該アシスト１２部分をナット１４で前記アウターワイヤー１１が回転しないように固定する。
【００２５】
又、該操作ワイヤー９のインナーワイヤー１０の基端部を固定したハンドル連結部１３をアシスト１２内に回転フリーに貫通させて、ハンドル連結部１３に設けたワイヤー固定ピン孔１７にグリップ１６ａをクランク状に形成した操作ハンドル１６の固定部１６ｂに設けたハンドル固定ピン孔１８を合わせハンドル固定ピン３１で固定する。
【００２６】
、
そして、図１及び図５示すように、前記操作ハンドル１６に基端部を連結した操作ワイヤー９の末端部を前記回転連結体８に連結する。
その際、操作ワイヤー９の末端部のインナーワイヤー１０は前記回転連結体８の連結部
２１に固定する。
【００２７】
この部分をさらに詳述すると、図５に示すように、前記操作ワイヤー９のアウターワイヤー１１の末端部１１ｂをアウターキャップ２８に固定し、該操作ワイヤー９のインナーワイヤー１０の末端部１０ｂは前記アウターキャップ２８内を回転フリーに貫通し、インナーワイヤーエンド連結部２７を介してワイヤー連結部２６に固定する。
即ち、前記アウターキャップ２８が固定され、それを貫通するインナーワイヤーエンド連結部２７及びワイヤー連結部２６はインナーワイヤー１０と一体的に回転可能となる。
【００２８】
前記ワイヤー連結部２６は回転連結体８の連結部２１を嵌合可能な筒状に形成しワイヤー連結ピン孔２５を設ける。
そして、前記ロッド支持体７の上端部から突出した回転連結体８の連結部２１にワイヤー連結部２６を嵌合し、連結部２１の連結ピン孔２４と前記ワイヤー連結ピン孔２５にワイヤー連結ピン３０を貫通させ、前記連結部２１にワイヤー連結部２６を連結させて固定する。
【００２９】
上記操作ワイヤー９の回転連結体８の連結部２１への連結は、ワイヤー連結ピン３０により着脱可能なピン止め構造とすれば、既存の装置が前記回転連結体８の連結部２１と同様なピン止め構造を用いた操作ハンドルの連結形態であれば、既存の操作ハンドルのピンを外して本考案の装置に容易に改造することが可能となる。
この場合、従来のピン止め式の操作ハンドルの図２中の符号ｄで示す連結ピンを外し、図１に示す該操作ハンドル１６を運転ハンドル側に移し変え、図１中で示す連結ピン３１で取り付けることができる。
【００３０】
又、前記フレキシブルな操作ワイヤー９はアウターワイヤー１１とインナーワイヤー１０とで構成されるが、前記インナーワイヤー１０は２本の鋼線の逆向きに巻いた螺旋構造とすることができる。
このため、回転方向が正逆回転のいずれであっても操作ワイヤー９の基端部から末端部まで確実に回転を伝達させることができ、ロッド支持体７内の昇降機構３３を介して前記調節輪支持ロッド６を上下に確実に移動させ、運転位置での前記操作ハンドル１６の回転で前記調節輪５の高低位置を確実に調節することが可能となる。
【産業上の利用可能性】
【００３１】
本考案は、主として前側にロータリを備えた歩行型の耕耘機に使用するものであるが、搭乗型の耕耘機に対しても前側にロータリを備えたタイプであれば利用できる可能性がある。
【符号の説明】
【００３２】
１    耕耘機の機体
２    駆動車輪
３    ロータリ
４    支持部材
５    調節輪
５ａ  車輪軸
６    調節輪支持ロッド
６ａ  上端部
７    ロッド支持体
８    回転連結体
９    操作ワイヤー
１０  インナーワイヤー
１１  アウターワイヤー
１１ａ アウターワイヤーエンド
１２  アシスト部
１３  ハンドル連結部
１４  ナット
１５  取付け部
１６  操作ハンドル
１６ａ グリップ
１６ｂ  固定部
１７  ワイヤー固定ピン孔
１８  ハンドル固定ピン孔
１９  運転ハンドル
２０  補助横棒
２１  連結部
２２  雄ネジ部
２３  雌ネジ部
２４  連結ピン孔
２５  ワイヤー連結ピン孔
２６  ワイヤー連結部
２７  インナーワイヤーエンド連結部
２８  アウターキャップ
２９  ロータリカバー
３０  ワイヤー連結ピン
３１  ハンドル固定ピン
３２  螺合部
３３  昇降機構
【図１】
0003195621.tif 000003
【図２】
0003195621.tif 000004
【図３】
0003195621.tif 000005
【図４】
0003195621.tif 000006
【図５】
0003195621.tif 000007
【図６】
0003195621.tif 000008